(57)【特許請求の範囲】
【請求項１】
樹脂製の筒状体の両端部の開口に、この開口の内周形状と同一の形状の外形を有する樹脂製の蓋体が両開口の各々に嵌め込まれた状態で、各開口の周縁と各蓋体の周縁とが相互に溶融させることによって上記筒状体の両開口を封止する構造において、上記筒状体の長さより上記両蓋体の厚みの合計の寸法だけ短いスリーブが筒状体内に挿入されており、上記蓋体を開口に嵌め込んだ状態でこのスリーブの両端面に蓋体が当接することによって筒状体に対する蓋体の位置決めが行なわれており、その位置決めが行われた状態で蓋体が筒状体に溶着されていることを特徴とする筒状体の端部封止構造。
【請求項２】
上記筒状体は透明な樹脂材料で形成されたものであり、上記スリーブは不透明な樹脂材料で形成されたものであることを特徴とする請求項１に記載の筒状体の端部封止構造。
【発明の詳細な説明】
【技術分野】
【０００１】
本発明は、長尺の筒状体の端部の開口を蓋体によって封止する筒状体の端部封止構造に関する。
【背景技術】
【０００２】
台所や浴室内の照明器具として、少なくとも一部が透明な樹脂によって形成された筒状体をケーシングとして、そのケーシング内にＬＥＤなどの発光部を収納し、その後、ケーシングの両端を蓋体によって封止するものが考えられる。
【０００３】
このような照明器具では、筒状体であるケーシングに蓋体を取り付ける構造を選択する必要があるが、そのような構造の一例として、ケーシング側に環状の周壁を形成し、その周壁の内部に収まる別部品をセットした状態で周壁を内側に変形させて、別部品が周壁内から脱落しないようにした構造がある（例えば、特許文献１参照）。
【先行技術文献】
【特許文献】
【０００４】
【特許文献１】特開２００３−２４５９７６号公報（段落００２８、図１２、図１３）
【発明の概要】
【発明が解決しようとする課題】
【０００５】
上記従来の構造では、周壁を内側に変形させて別部品を押さえているだけであるので、別部品と周壁との間の水密性を確保することが困難である。上記照明器具は、台所や浴室内に設置されるため、筒状体と蓋体との間には高度の水密性が要求されるため、上記特許文献１に記載の構造を適用することができない。
【０００６】
そこで本発明は、上記の問題点に鑑み、筒状体と蓋体との間に水密性を確保することのできる筒状体の端部封止構造を提供することを課題とする。
【課題を解決するための手段】
【０００７】
上記課題を解決するために本発明による筒状体の端部封止構造は、樹脂製の筒状体の両端部の開口に、この開口の内周形状と同一の形状の外形を有する樹脂製の蓋体が両開口の各々に嵌め込まれた状態で、各開口の周縁と各蓋体の周縁とが相互に溶融させることによって上記筒状体の両開口を封止する構造において、上記筒状体の長さより上記両蓋体の厚みの合計の寸法だけ短いスリーブが筒状体内に挿入されており、上記蓋体を開口に嵌め込んだ状態でこのスリーブの両端面に蓋体が当接することによって筒状体に対する蓋体の位置決めが行なわれており、その位置決めが行われた状態で蓋体が筒状体に溶着されていることを特徴とする。
【０００８】
上記構成では、筒状体側の開口の周壁と蓋体の周壁とを相互に溶融させて溶着しているので、両者の間に隙間が残存せず、水密性を確実に確保することができる。なお、蓋体と筒状体との合わせ面が外部に露出しないように、蓋体を筒状体の開口内に嵌め込んで溶着するが、その際蓋体が筒状体の内部へと逃げないようにする必要がある。開口の内周面に段部を形成してもよいが、加工工数が掛かるので、上記スリーブを筒状体内に挿入して蓋体の位置決めを行うようにした。
【０００９】
また、例えば、上記筒状体は透明な樹脂材料で形成されたものであり、上記スリーブは不透明な樹脂材料で形成されたものとするなど、デザインの自由度を増すことができる。
【発明の効果】
【００１０】
以上の説明から明らかなように、本発明は、両端に開口を有する筒状体と蓋体との間の水密性を溶着により確保することができるので、例えば浴室に設置される照明器具に適用しても、溶着部分から筒状体内部に水が浸入することがない。
【図面の簡単な説明】
【００１１】
【図１】本発明が適用される照明器具を台所に設置した状態を示す図
【図２】蓋体を取り付ける前の開口の状態を示す図
【図３】ケーシングに蓋体を溶着する工程を示す図
【図４】蓋体がケーシングに溶着された状態を示す図
【図５】他の実施の形態の断面図
【発明を実施するための形態】
【００１２】
図１を参照して、１は本発明による照明器具で有り、台所の吊り戸棚Ｌの下面に取り付けられている。この照明器具１は下面及び手前側面が透明で、残りの２面が不透明な樹脂で形成された筒状体のケーシング２と、そのケーシング２の両端面に溶着された１対の蓋体３とで構成されている。なお、このケーシング２は押出成形で形成されているため、断面形状はどの部分でも同じ形状をしている。
【００１３】
そのため、両端の開口を閉塞するための蓋体を取り付けると、蓋体がケーシング２の内部に落ち込まないように、蓋体の周囲に鍔を形成して、鍔がケーシングの端面に係合するようにすることが考えられる。ところが、そのように蓋体に鍔を設けると、鍔がケーシング２の両端に露出することになり、デザイン性が損なわれる。
【００１４】
そこで、図２に示すように、ケーシング２とは別体として押出成形で形成した筒状のスリーブ６をケーシング２内に挿入した。本実施の形態ではケーシング２の両端に開口が形成されているので、このスリーブ６の長さはケーシング２の長さに対して蓋体３の厚みの２倍の寸法分だけ短く形成されている。蓋体３をケーシングの開口に嵌め込むと、スリーブ６の端面６１に蓋体３が当接して、蓋体３は所定の位置で位置決めされることになる。また、蓋体３の周縁を立ち上げ、蓋体３をケーシング２に取り付けた状態でケーシング２の周壁２１に対峙する周壁３１を蓋体３に形成した。なお、４は回路基板で有り、片面に複数個のＬＥＤ４１が所定の間隔で実装されている。
【００１５】
図３を参照して、５は溶着用の治具で有り、図示しないセラミックヒータが組み込まれており、そのセラミックヒータに通電することにより治具５が加熱されるように構成されている。この治具５には型押し部５１が形成されており、（ａ）に示す状態から治具５を下降させると、型押し部５１内に両周壁２１，３１が入り込むように構成されている。
【００１６】
治具５を加熱した状態で治具５を下降させて両周壁２１，３１を型押し部５１に当接させ、その状態で所定時間待機させると、両周壁部２１，３１の上端部分が溶融し、両周壁部２１，３１は相互に溶着する。その後、治具５に取り付けたセラミックヒータへの通電を停止すると共に、治具５をさらに下降させ、さらに、図外のノズルから治具５に空気を噴射して治具５を冷却すると、同図（ｂ）及び図４に示すように、蓋体３は全周にわたってケーシング２に対して溶着される。Ｍで示す部分はケーシング２と蓋体３とが溶着している部分で有り、ケーシング２と蓋体３との間の水密を確実に確保することができる。
【００１７】
ところで、上記の実施の形態ではケーシング２およびスリーブ６は共に透明な樹脂で形成したが、ケーシング２の内周面とスリーブ６の外周面とを密着させると、両者の間に生じる微小な隙間によってニュートンリングが生じるおそれがある。
【００１８】
そこで、図５(ａ)に示すように、ケーシング２の内周面に突条２２を設けてニュートンリングが発生しない大きさの隙間を確保するように構成してもよい。なお、この突条２２はスリーブ６の外周面に設けてもよい。
【００１９】
また、スリーブ６の周壁の内、ＬＥＤ４１に対峙する部分を端面６２で切り取り、ＬＥＤ４１からの光がケーシング２のみを透光するように構成してもよい。なお、この場合にはスリーブ６に不透明な樹脂を用いることができる。
【００２０】
上記照明器具１はこのように完全な水密性を実現できるので、台所の他、浴室内や屋外に設置しても、ケーシング２内に水が浸入することを完全に防止することができる。また、上記実施の形態では、ケーシング２を押出成形にて形成し、両端に開口を有する場合について説明したが、射出成形により形成した有底筒状体のケーシングを用いて、ケーシングが有する１個の開口部分について上記溶着構造を適用してもよい。
【００２１】
なお、本発明は上記した形態に限定されるものではなく、本発明の要旨を逸脱しない範囲内において種々の変更を加えてもかまわない。
【符号の説明】
【００２２】
１  照明器具
２  ケーシング
３  蓋体
５  治具
６  スリーブ
２１  周壁
３１  周壁
【要約】
【課題】周壁を内側に変形させて別部品を押さえているだけの構造が知られているが、別部品と周壁との間の水密性を確保することが困難であるため、防水性が要求される照明器具のケーシングの両端に蓋体を取り付ける構造に適用することができない。
【解決手段】筒状体であるケーシングの両端部の開口の内周面を広げ、蓋体を開口に嵌合した状態で蓋体が筒状体の内部に落ち込むことを防止する段部を形成すると共に、蓋体の外周縁を立ち上げ、開口の周壁と対峙する周壁を形成し、開口の周壁と蓋体の周壁とを相互に合わせた状態で両周壁を加熱して溶融することにより両周壁を溶着させ、上記筒状体の端部の開口を蓋体で封止する。
【選択図】  図３【図１】
0005832685.tif 000002
【図２】
0005832685.tif 000003
【図３】
0005832685.tif 000004
【図４】
0005832685.tif 000005
【図５】
0005832685.tif 000006